(57)【要約】【課題】  種々の形状のカバンを背負うことができ、背負われたカバンがベルトから抜け落ちることもなく、体にフィットすることのできる新たなベルトリュックを提供することを課題とする。【解決手段】  左右のショルダーベルトＳと、カバンの下部を横方向に一周して締め付ける横方向ベルト１と、前記カバンを縦方向に一周して締め付ける縦方向ベルト２とを備え、前記カバンが背負われるときの背中側に位置する前記横方向ベルト１に、前記ショルダーベルトＳの左右の下端部を所定長さ離間させて取り付けるとともに、前記カバンの背面側上部に位置する前記縦方向ベルト２に、前記ショルダーベルトＳの左右の上端部を直接的に又は連結手段Ｂを介して間接的に取り付け、さらに前記横方向ベルト１と縦方向ベルト２の交点を互いに結合して、前記横方向ベルト１の両端部同士と、前記縦方向ベルト２の両端部同士をそれぞれ着脱自在に連結する。【選択図】図１
2012148036.tif 000002
【特許請求の範囲】
【請求項１】
それぞれがリング状をなす左右のショルダーベルトと、左右のショルダーベルトを近接させて鎖状につなぎ止める連結手段と、カバンの下部を横方向に一周してその両端部同士を互いに連結して締め付ける横方向ベルトと、前記カバンを縦方向から締め付ける縦方向ベルトとを備え、前記カバンが背負われるときの背中と接する側（背面側）の前記横方向ベルトに、前記左右のショルダーベルトの各下端部を所定長さ離間させて取り付けるとともに、前記連結手段に前記縦方向ベルトの一端を取り付け、その他端を前記カバンの正面側からカバンの底面側に回して背面側の前記横方向ベルトに着脱自在に連結したことを特徴とするベルトリュック。
【請求項２】
左右のショルダーベルトと、カバンの下部を横方向に一周させてその両端部同士を互いに連結して締め付ける横方向ベルトと、前記カバンを縦方向に一周させてその両端部同士を互いに連結して締め付ける縦方向ベルトとを備え、前記横方向ベルトと前記縦方向ベルトの各交点を互いに結合するとともに、前記カバンの背面側下部に位置する前記横方向ベルトに、前記ショルダーベルトの左右の各下端部を所定長さ離間させて取り付け、さらに前記カバンの背面側上部に位置する前記縦方向ベルトに前記ショルダーベルトの左右の各上端部を取り付けたことを特徴とするベルトリュック。
【発明の詳細な説明】
【技術分野】
【０００１】  この発明は、手提げカバンやショルダーバッグ等を背負いベルトで背負うことのできるベルトリュックに関する。
【背景技術】
【０００２】  この種の背負いベルトとしては、下記特許文献に開示されたものが知られている。このうち、特許文献１では、カバンの両サイドにベルトが掛けられておらず、カバンの上下を斜めのベルトで巻いているだけなので、ベルトが緩みやすく、カバンの重心位置がずれるとバランスを失ってカバンが背負いベルトから抜け落ちる問題がある。【０００３】  また、特許文献３では、カバンの取っ手をフックで吊っているが、男性用カバンには、取っ手がハードなものがあり、そうした取っ手をフックで吊ると、吊り位置が移動してバランスを失い、却ってカバンが傾く問題がある。さらに、カバン下部を粘着材で固定しているが、寄りかかったり、押されたりしてカバンが変形した場合、粘着材が外れる可能性がある。また、粘着材によってカバンの生地を傷めるおそれがあり、粘着材自身も使用頻度が増すに連れて粘着性を失うおそれがある。【０００４】  また、取っ手の根元にベルトを巻いて吊る特許文献２，４の方式でも、カバンの重心位置が偏ると、背負ったカバンが傾く問題がある。特に特許文献２の方式は、カバンとベルトとの連結をカバンの取っ手部分を保持する保持具でしか行っていないので、カバンを背負っても、カバンは保持具を中心にして踊るので、常にベルトを両手で掴んでいなければならず、カバンが安定しない問題がある。【０００５】  また、特許文献４の方式では、ベルトの長さが調節できないので、カバンが膨らんだりすると、背負うことができなくなるという問題もある。さらに、カバンが押されて持ち上がったりしてベルトに緩みができると、底部のベルトが外れる可能性もある。
【先行技術文献】
【特許文献】
【０００６】
【特許文献１】  実開平６−２４５２９
【特許文献２】  実開平６−８２９２６
【特許文献３】  特開２００３−５２４４１
【特許文献４】  実用新案登録第３１２１４９９号
【発明の概要】
【発明が解決しようとする課題】
【０００７】  この発明は、こうした従来の課題を解決することができるもので、種々の形状のカバンを背負うことができ、しかも、背負われたカバンがベルトから抜け落ちることもなく、体にフィットさせることのできる新たなベルトリュックを提供することを課題とする。
【課題を解決するための手段】
【０００８】  請求項１の発明に係るベルトリュックは、それぞれがリング状をなす左右のショルダーベルトと、左右のショルダーベルトを近接させて鎖状につなぎ止める連結手段と、カバンの下部を横方向に一周させてその両端部同士を互いに連結して締め付ける横方向ベルトと、前記カバンを縦方向から締め付ける縦方向ベルトとを備え、前記カバンが背負われるときの背中と接する側（以下、これを背面側と云い、その反対側を正面側と云う。）の前記横方向ベルトに、前記左右のショルダーベルトの各下端部を所定長さ離間させて取り付けるとともに、前記連結手段に前記縦方向ベルトの一端を取り付け、その他端を前記カバンの正面側からカバンの底面側に回して背面側の前記横方向ベルトに着脱自在に連結したことを特徴とする。【０００９】  リング状の左右のショルダーベルトをカバンの背面側中央に位置させて、横方向ベルトでカバンの下部を横方向に一周させてその両端部同士を連結して締め付けると、左右のショルダーベルトの各下端部は、カバンの背面側下部と密着する。次に、左右のショルダーベルトをつなぎ止める連結手段をカバンの背面側上部に位置させてから、そこに一端が取り付けられた縦方向ベルトの他端をカバンの背面側から正面側に回し、さらにカバンの底面の下を潜らせて背面側の横方向ベルトに連結して締め付ける。すると、前記連結手段は、カバンの背面側上部と密着する。したがって、カバンは、両方向のベルトで上下左右から縛り付けられることになるから、左右のショルダーベルトを両肩に通せば、カバンを背負うことができる。しかも、背負われたカバンは、縦方向ベルトと横方向ベルトで上下左右から締め付けられるから、抜け落ちることもない。【００１０】  請求項２の発明に係るベルトリュックは、請求項１のベルトリュックの連結手段を無くしたもので、左右のショルダーベルトと、カバンの下部を横方向に一周させてその両端部同士を互いに連結して締め付ける横方向ベルトと、前記カバンを縦方向に一周させてその両端部同士を互いに連結して締め付ける縦方向ベルトとを備え、前記横方向ベルトと前記縦方向ベルトの各交点を互いに結合するとともに、前記カバンの背面側下部に位置する前記横方向ベルトに、前記ショルダーベルトの左右の各下端部を所定長さ離間させて取り付け、さらに前記カバンの背面側上部に位置する前記縦方向ベルトに前記ショルダーベルトの左右の各上端部を取り付けたことを特徴とする。【００１１】  左右のショルダーベルトをカバンの背面側中央に位置させて、横方向ベルトでカバンの下部を横方向に一周させてからその両端部同士を互いに連結して締め付けると、左右のショルダーベルトの各下端部は、カバンの背面側下部と密着する。次に、左右のショルダーベルトの各上端部をカバンの上部に位置させてから、それと結合された縦方向ベルトでカバンを上下方向に一周させてその両端部同士を互いに連結して締め付けると、左右のショルダーベルトは、カバンの背面側上部とも密着する。したがって、左右のショルダーベルトを両肩に通せば、カバンを背負うことができる。しかも、背負われたカバンは、縦方向ベルトと横方向ベルトで上下左右から締め付けられるから、抜け落ちることもない。
【発明の効果】
【００１２】  請求項１の発明によると、リング状の左右のショルダーベルトを連結手段で鎖状につなぎ止め、それらのショルダーベルトの両下端部を所定長さ離間させて、カバンの背面側下部の横方向ベルトに取り付け、その横方向ベルトでカバンを横方向から締め付けるので、左右のショルダーベルトの両下端部は、カバンの背面側下部と密着する。さらに、カバンの背面側上部に位置する前記連結手段に縦方向ベルトの一端を取り付け、その他端を、カバンの正面側から底面側に回して背面側の横方向ベルトに連結して締め付けるので、前記連結手段は、カバンの背面側上部でカバンと密着する。したがって、カバンの背面側に位置する左右のショルダーベルトは、カバンの背面に密着してカバンと一体化するから、左右のショルダーベルトを両肩に通せば、カバンを背負うことができる。しかも、カバンは、縦方向ベルトと横方向ベルトで上下左右から締め付けられるから、カバンが変形したり膨らんだりしても、あるいは、自転車に乗ってカバンが踊るようなことがあっても、カバンがこれらのベルトから抜け落ちることはない。【００１３】  また、前記連結手段は、リング状のショルダーベルトの各リングに沿って移動できるので、カバンの背面側上部の連結手段を上下に移動させると、カバンを縦方向に一周して締め付けるベルトの長さを変えることができる。したがって、カバンサイズが変わったり、カバンが膨らんだりしても、また、カバンの向きを横向きから縦向きに変えても、縦方向ベルトでカバンを上下方向から締め付けることができる。【００１４】  また、前記縦方向ベルトをカバンの正面側において、下方に向かって裾広がりに２方向に枝分かれさせ、枝分かれさせたそれぞれの下端部を正面側の横方向ベルトと結合した上で、カバンの背面側に回して背面側の横方向ベルトと連結すれば、カバンの正面側と底面側を、枝分かれさせた２本ベルトで幅広く締め付けることができる。【００１５】  請求項２の発明によると、縦方向ベルトと横方向ベルトでカバンを上下左右から締め付けるとともに、左右のショルダーベルトの上端部をカバン上部の縦方向ベルトに取り付け、ショルダーベルトの左右の下端部を所定長さ離間させて、カバン下部の横方向ベルトに取り付けたから、カバンが変形したり膨らんだりしても、あるいは、自転車に乗ってカバンが踊るようなことがあっても、カバンがこれらのベルトから抜け落ちることはない。【００１６】  また、請求項１と２の各発明において、前記横方向ベルトと縦方向ベルトを、カバンの正面側部分と背面側部分とに分離し、分離した一方のベルト端部に他方のベルト端部を着脱自在に連結するように構成すれば、これらの正面側部分と背面側部分の間にカバンを挟み、そこから上下左右に食み出た各ベルト端部を互いに連結して締め付けると、左右のショルダーベルトをカバンの背面側中央に位置させたまま、カバンを上下左右からバランス良く締め付けることができる。【００１７】  また、請求項２の発明において、前記縦方向ベルトをカバンの取っ手を挟んだ両サイドにおいて、それぞれ縦方向に一周する左右のベルトとすれば、左右のベルトのそれぞれに左右のショルダーベルトをそれぞれ取り付けることができるから、カバンの横方向サイズが大きくなっても、カバンを背負うことができる。しかも、カバンの両サイドを縦方向ベルトで締め付けるから、カバンを背中で安定させることができる。
【図面の簡単な説明】
【００１８】  以下、請求項１の発明を第１発明とし、請求項２の発明を第２発明として説明する。
【図１】第１発明の実施形態に係るベルトリュックを背面側から見た外観斜視図
【図２】第１発明の実施形態に係るベルトリュックを正面側から見た外観斜視図
【図３】前記実施形態に係るベルトリュックの背面側部分の平面図
【図４】前記実施形態に係るベルトリュックの正面側部分の平面図
【図５】前記実施形態に係る連結手段の平面図
【図６】前記連結手段にベルトを通した状態の部分平面図
【図７】前記実施形態に係る分岐具の平面図
【図８】前記分岐具にベルトを通した状態の平面図
【図９】第２発明の第１実施形態に係るベルトリュックを背面側から見た外観斜視図
【図１０】前記第１実施形態に係るベルトリュックを正面側から見た外観斜視図
【図１１】前記第１実施形態に係るベルトリュックの背面側部分の平面図
【図１２】前記第１実施形態に係るベルトリュックの正面側部分の平面図
【図１３】第２発明の第２実施形態に係るベルトリュックを背面側から見た外観斜視図
【図１４】前記第２実施形態に係るベルトリュックを正面側から見た外観斜視図
【図１５】第２発明の第３実施形態に係るベルトリュックを背面側から見た外観斜視図
【図１６】前記第３実施形態に係るベルトリュックを正面側から見た外観斜視図
【図１７】第２発明の第４実施形態に係るベルトリュックを背面側から見た外観斜視図
【図１８】前記第４実施形態に係るベルトリュックを正面側から見た外観斜視図
【図１９】第２発明の第５実施形態に係るベルトリュックを背面側から見た外観斜視図
【図２０】前記第５実施形態に係るベルトリュックを正面側から見た外観斜視図
【発明を実施するための形態】
【００１９】  以下、第１発明と第２発明の各実施形態をそれぞれ図面に基づいて説明する。
＜第１発明の実施形態＞
【００２０】  図１、図２は、第１発明の実施形態のベルトリュックを示したもので、このベルトリュックは、左右のリング状をなすショルダーベルトＳと、カバンＫの下部を横方向に一周して締め付ける横方向ベルト１と、前記カバンＫを縦方向から締め付ける縦方向ベルト２とを備えている。また、これらのベルトは、柔軟且つ強靭な革材や合成繊維で造られている。
【００２１】  左右のショルダーベルトＳは、それぞれリング状に形成されているとともに、それらは、連結手段Ｂを介して鎖状につなぎ止められている。図５、図６は、その連結手段Ｂの一実施形態を示したもので、左側のショルダーベルトＳＬは、左側スリット３１から中央スリット３２に抜け、右側のショルダーベルトＳＲは、右側スリット３３から中央スリット３２に抜けるように挿通されている。また、左右のショルダーベルトＳの各下端部Ｓ１、Ｓ１は、図１に示すように、所定距離離間されて、背面側の横方向ベルト１Ｒにそれぞれ結合されている。また、図５、図６に示す連結手段Ｂの上部水平スリット３４には、縦方向ベルト２の一端２１が挿通されて連結されている。
【００２２】  前記横方向ベルト１は、図１と図３に示す背面側部分１Ｒと、図２と図４に示す正面側部分１Ｆとに分離され、その背面側部分１Ｒの両端には、それぞれ連結具Ｂ１，Ｂ１が取り付けられ、その連結具Ｂ１，Ｂ１に正面側部分１Ｆの両端部１１、１１がそれぞれ連結されるようになっている。
【００２３】  前記縦方向ベルト２は、図１〜図４に示すように、一端２１が前記連結手段Ｂの上部水平スリット３４に取り付けられ、他端２２が前記カバンＫの取っ手の下を潜って正面側に渡される上部ベルト２ａと、その上部ベルト２ａの端部２２と連結される正面ベルト２ｂと、その正面ベルト２ｂの下端部から前記カバンＫの底面を回って背面側の横方向ベルト１Ｒと連結される底面ベルト２ｃとで構成されている。
【００２４】  前記正面ベルト２ｂは、その上端に取り付けられた分岐具ＣからカバンＫの底面に向かって裾広がりに２方向に枝分かれし、その枝分かれした左右の下端部２３は、正面側の横方向ベルト１Ｆと結合され、その各結合点Ｐ２，Ｐ２に前記底面ベルト２ｃ、２ｃの一端がそれぞれ結合されている。
【００２５】  図７、図８は、前記分岐具Ｃの一実施形態を示したもので、左側正面ベルト２ｂの一端は、分岐具Ｃに形成された左側スリット４１を通って、左側正面ベルト２ｂに挿通されたリング状連結具Ｂ２の中央金具４５に取り付けられ、このリング状連結具Ｂ２を左側正面ベルト２ｂに沿ってスライドさせれば、左側正面ベルト２ｂの長さが調節できるようになっている。同様に、右側正面ベルト２ｂの一端は、右側スリット４２を通って右側正面ベルトに挿通されたリング状連結具Ｂ２の中央金具４５に取り付けられ、このリング状連結具Ｂ２を右側正面ベルト２ｂに沿ってスライドさせれば、右側正面ベルト２ｂの長さが調節できるようになっている。
また、分岐具Ｃの上部水平スリット４３には、ベルト片２４が取り付けられ、そのベルト片２４の他端には、連結具Ｂ３が取り付けられ、そこに上部ベルト２ａの端部２２が連結されるようになっている。
【００２６】  図１において、左右のショルダーベルトＳ，Ｓの両下端部Ｓ１、Ｓ１と背面側の横方向ベルト１Ｒとの結合点Ｐ３，Ｐ３には、下方に延びるベルト片２５、２５が結合され、そのベルト片２５、２５の端部にそれぞれ連結具Ｂ４、Ｂ４が取り付けられ、その連結具Ｂ４、Ｂ４に前記底面ベルト２ｃ、２ｃの他端２６、２６が連結されようになっている。
【００２７】  そして、カバンＫを横方向のベルト１と縦方向ベルト２で縛るときは、図１、図２に示すように、カバンＫの背面側に左右のショルダーベルトＳ、Ｓを沿わせてカバンＫの上部中央に連結手段Ｂを位置させ、その連結手段Ｂに取り付けられた上部ベルト２ａの開放端部２２をカバンＫの取っ手の下を潜らせて正面側の連結具Ｂ３に連結する。続いて、正面側の底面ベルト２ｃ、２ｃの先端部２６、２６をカバンＫの底面の下を潜らせて背面側の連結具Ｂ４、Ｂ４に連結して締め付ける。これにより、縦方向ベルト２は、左右のショルダーベルトＳ，Ｓを介在させてカバンＫを縦方向に一周することになる。続いて、正面側部分の横方向ベルト１Ｆの両端部１１、１１をカバンＫの背面側に回して連結具Ｂ１，Ｂ１に連結して締め付ける。これにより、カバンＫは、その下部において左右からも締め付けられることになる。この状態を示したものが図１と図２である。
【００２８】  前記実施形態で使用される連結具Ｂ１、Ｂ２、Ｂ３、Ｂ４は、所謂、ベルトの留め金として周知の構成であって、例えば、図２の連結具Ｂ３は、リング状金具４４と、そのリング状金具４４を架橋するように設けられた１本の中央金具４５との間にベルト２２を蛇行させて挿通すれば、ベルトが締まるようになっている。また、これに代えて、リュックサック等に常用されるアジャスタバックルとか、プラスチックバックル等を使用することもできる。
【００２９】  また、左右のショルダーベルトＳ、Ｓには、ベルトの長さが調整できる連結具Ｂ５、Ｂ５が取り付けられている。この連結具Ｂ５，Ｂ５は、ショルダーベルトＳ、Ｓの端部を連結具Ｂ５、Ｂ５のリング状金具４４と中央金具４５との間を挿通させてから矩形のリングＢ６，Ｂ６に挿通した後、それを折り返して前記中央金具４５に取り付けている。これにより、連結具Ｂ５、Ｂ５をショルダーベルトＳ，Ｓに沿ってスライドさせると、連結具Ｂ５とリングＢ６との間のショルダーベルトＳ、Ｓの長さが調節できるようになっている。また、前記リングＢ６，Ｂ６には、背面側の横方向ベルト１Ｒに結合されたベルト片２７、２７が取り付けられ、このベルト片２７、２７がショルダーベルトＳ、Ｓの下端部Ｓ１、Ｓ１を構成している。
【００３０】  図９、図１０は、第２発明の第１実施形態のベルトリュックを示したもので、このベルトリュックは、左右のショルダーベルトＳと、カバンＫの下部を横方向に一周して締め付ける横方向ベルト１と、前記カバンＫを縦方向に一周して締め付ける縦方向ベルト２とで構成される。また、これらのベルトは、柔軟且つ強靭な革材や合成繊維で造られている。
【００３１】  前記ショルダーベルトＳの左右の下端部Ｓ１，Ｓ１は、所定長さ離間されて背面側の横方向ベルト１Ｒにそれぞれ取り付けられ、他方の上端部Ｓ２，Ｓ２は、カバンＫの上部に位置する背面側の縦方向ベルト２の結合部Ｐ１に取り付けられている。また、この縦方向ベルト２は、カバンＫの取っ手とカバン上部との間を通ってカバンＫの背面側から正面側に渡される上部ベルト２ａと、その上部ベルト２ａの両端部からカバンＫの底面に向かって裾広がりに２方向に枝分かれした正面ベルト２２Ｆと、背面ベルト２２Ｒと、その正面ベルト２２Ｆの下端部からカバンＫの底面の下を潜って背面側に渡される底面ベルト２ｃ，２ｃとから構成されている。
【００３２】  前記正面ベルト２２Ｆの左右の下端部と、その左右の下端部と繋がった底面ベルト２ｃ、２ｃの左右の上端部と、正面側の横方向ベルト１Ｆとが、それらが互いに交わる交点Ｐ２において結合され、背面側においても、背面ベルト２２Ｒの左右の下端部と、その左右の下端部と繋がったベルト片２５，２５の上端部と、ショルダーベルトＳの左右の下端部Ｓ１，Ｓ１と、背面側の横方向ベルト１Ｒとが、それらが互いに交わる交点Ｐ３において結合されている。また、前記ベルト片２５、２５の下端には、連結具Ｂ４，Ｂ４が取り付けられている。
【００３３】  そして、両背面ベルト２２Ｒの結合部Ｐ１から延びる上部ベルト２ｃの端部２２が、正面側の連結具Ｂ３と連結され、正面側の横方向ベルト１Ｆの両端部１１、１１が、背面側横方向ベルト１Ｒの両端部に取り付けられた連結具Ｂ１、Ｂ１と連結される。また、底面ベルト２ｃ、２ｃの先端部２６、２６は、カバンＫの底面の下を潜って背面側に取り付けられたベルト片２５，２５の連結具Ｂ４、Ｂ４と連結される。
【００３４】  この第２発明の第１実施形態に係る横方向ベルト１と縦方向ベルト２は、カバンＫの正面側部分と背面側部分とに分離されているが、図１１は、分離された背面側部分を示し、図１２は、それとは反対側の正面側部分を示す。
【００３５】  これらの図において、図９、図１０と同一部分には、同一符号を付しているので、重複した説明は避けるが、図１２の両正面ベルト２２Ｆの上端結合部には、ベルト片２４が結合され、そのベルト片２４の先端部に連結具Ｂ３が取り付けられ、その連結具Ｂ３に上部ベルト２ａの端部２２が連結される。
【００３６】  そして、カバンＫをこの両方向のベルト１、２で縛るときは、上部ベルト２ａの端部２２をカバンＫの取っ手の下を潜らせて正面側の連結具Ｂ３に連結し、正面側の底面ベルト２ｃ、２ｃの先端部２６、２６をカバンＫの底面の下を潜らせて、背面側の連結具Ｂ４、Ｂ４に連結して締め付ける。これにより、カバンＫを縦方向ベルト２で上下から締め付けることができる。続いて、正面側の横方向ベルト１Ｆの両端部１１、１１をカバンＫの背面側に回して連結具Ｂ１、Ｂ１に連結して締め付ける。これにより、カバンＫを左右から締め付けることができる。この状態を示したものが図９と図１０である。
【００３７】  図１３、図１４は、第２発明の第２実施形態のベルトリュックを示したもので、この実施形態では、縦方向ベルト２の正面ベルト２２Ｆと背面ベルト２２Ｒが、ともに裾広がりの三角形に形成され、それらの底辺が横方向ベルト１と一体化されている点において、前記第１実施形態と相違するが、その他の点においては、第１実施形態と同様な構成である。
この実施形態においても、正面側の連結具Ｂ３には、上部ベルト２ａの端部２２が連結され、背面側の連結具Ｂ４、Ｂ４には、正面側の底面ベルト２ｃ、２ｃの先端部２６、２６が連結され、背面側の連結具Ｂ１，Ｂ１には、正面側の横方向ベルト１Ｆの両端部１１、１１がそれぞれ連結される。
【００３８】  図１５、図１６は、第２発明の第３実施形態のベルトリュックを示したもので、この実施形態では、前記第１実施形態の枝分かれした正面ベルト２２Ｆと背面ベルト２２Ｒを１本のベルトにして、正面側の横方向ベルト１Ｆと背面側の横方向ベルト１Ｒにそれぞれ結合した点において、前記第１実施形態と相違するが、その他の点においては、第１実施形態と同じ構成である。
この実施形態においても、正面側の連結具Ｂ３には、上部ベルト２ｃの端部２２が連結され、背面側の連結具Ｂ４，Ｂ４には、正面側の底面ベルト２ｃ、２ｃの先端部２６、２６が連結され、背面側の連結具Ｂ１，Ｂ１には、正面側の横方向ベルト１Ｆの両端部１１、１１がそれぞれ連結される。
【００３９】  図１７、図１８は、第２発明の第４実施形態のベルトリュックを示したもので、この実施形態では、２本の縦方向ベルト２をカバンの取っ手を挟んだ両サイドで上下に巻きつけ、その２本の縦方向ベルト２のそれぞれに左右のショルダーベルトＳをそれぞれ結合した点においてこれまでの実施形態と相違するが、その他の点においては、これまでの実施形態と同じ構成である。したがって、この実施形態では、正面側の連結具Ｂ３、Ｂ３には、上部ベルト２ａの各端部２２、２２が連結され、背面側の連結具Ｂ４，Ｂ４には、正面側の底面ベルト２ｃ、２ｃの先端部２６、２６が連結され、背面側の連結具Ｂ１，Ｂ１には、正面側の横方向ベルト１Ｆの両端部１１、１１がそれぞれ連結される。
なお、各ショルダーベルトＳ，Ｓの上端付け根部分の間には、第１水平ベルト２８が架橋され、また、各ショルダーベルトＳ，Ｓの中間部分には、第２水平ベルト２９が架橋されて、左右のショルダーベルトＳ，Ｓが横に広がるのを防止している。また、第２水平ベルト２９は、真中に位置する連結具Ｂ７で左右に分離できるようになっている。
この実施形態のように、縦方向ベルトを２本にすると、カバンの横方向サイズが大きくなってもカバンを背中で安定させることができる。
【００４０】  図１９、図２０は、第２発明の第５実施形態のベルトリュックを示したもので、この実施形態では、第２実施形態の背面側の連結具Ｂ１、Ｂ１，Ｂ４、Ｂ４を無くし、その代わりに、第２実施形態の背面ベルト２２Ｒに相当する背面側の五角形部分３１Ｒに、横方向ベルト１を取り付けるとともに、その底辺を下方に延長させて正面側の五角形部分３１Ｆと結合し、その正面側の五角形部分３１Ｆに背面側の横方向ベルト１の両端部１１、１１と、上部ベルト２ａの端部２６とを連結している。
ここでの連結には、所謂、面ファスナーを使用する。即ち、正面側の五角形部分３１Ｆのベルト表面に面ファスナーを構成する一方のパイル生地（斜線で示す部分）を貼り付け、背面側の横方向ベルトの両端部１１、１１と上部ベルト２ａの端部２２とに、面ファスナーの他方のフック生地（破線で示す部分）を貼り付けて、新たな連結具Ｂ８としている。また、この正面側の五角形部分３１Ｆは、背面側の五角形部分３１ＲとカバンＫの底面の下で繋がって一体化されているので、横方向ベルト１の両端部１１、１１と、上部ベルト２ａの端部２２とは、この正面側の五角形部分３１Ｆの任意の箇所で連結することができる。
【００４１】  また、以上の各実施形態において、各ショルダーベルトＳには、幅広の肩パットを装着して、両肩に掛かる荷重を緩和させるようにしてもよい。
なお、以上の説明では、カバンを背負う場合を中心に説明したが、これに限定されるものではなく、例えば、風呂敷に包まれた手荷物、ダンボール箱に収納された荷物等を背負う場合にも利用できることは言うまでもない。
【符号の説明】  １    横方向ベルト
２    縦方向ベルト
１Ｆ  正面側横方向ベルト
１Ｒ  背面側横方向ベルト
１１    横方向ベルトの端部
２ａ    上部ベルト
２ｂ    正面ベルト
２ｃ    底面ベルト
２２    上部ベルトの端部
２２Ｆ  正面ベルト
２２Ｒ  背面ベルト
２３    正面ベルトの下端部
２４    ベルト片
２５    ベルト片
２６    底面ベルトの端部
２７    ベルト片
２８    第１水平ベルト
２９    第２水平ベルト
Ｓ    ショルダーベルト
Ｂ    連結手段
Ｂ１  連結具
Ｂ２  連結具
Ｂ３  連結具
Ｂ４  連結具
Ｂ５  連結具
Ｂ６  リング
Ｂ７  連結具
Ｃ    分岐具
４４    リング状金具
４５    中央金具
【図１】
2012148036.tif 000003
【図２】
2012148036.tif 000004
【図３】
2012148036.tif 000005
【図４】
2012148036.tif 000006
【図５】
2012148036.tif 000007
【図６】
2012148036.tif 000008
【図７】
2012148036.tif 000009
【図８】
2012148036.tif 000010
【図９】
2012148036.tif 000011
【図１０】
2012148036.tif 000012
【図１１】
2012148036.tif 000013
【図１２】
2012148036.tif 000014
【図１３】
2012148036.tif 000015
【図１４】
2012148036.tif 000016
【図１５】
2012148036.tif 000017
【図１６】
2012148036.tif 000018
【図１７】
2012148036.tif 000019
【図１８】
2012148036.tif 000020
【図１９】
2012148036.tif 000021
【図２０】
2012148036.tif 000022